(57)【要約】【課題】検知手段を削減しながら、サイズの異なる原稿の両面の画像を読み取る生産性の高い画像読取装置を提供する。【解決手段】原稿Ｇを反転搬送する反転経路４０ａと画像読取部１１を有する第１搬送経路４０と、第１搬送経路４０を搬送した原稿Ｇをスイッチバック搬送して反転経路４０ａに搬送する第２搬送経路５０と、原稿Ｇのサイズと搬送位置検知機能を兼ねた検知部を有し、第１面を上にして給紙した原稿Ｇを第１搬送経路４０に搬送するとともに検知部がサイズ検知をする第１搬送行程と、第１搬送行程を経た原稿Ｇをスイッチバック搬送し検知部が搬送位置検知をするとともに画像読取部１１が第２面の画像を読み取る第２搬送行程と、第２搬送行程を経た原稿Ｇをスイッチバック搬送し検知部が搬送位置を検知するとともに画像読取部１１が第１面の画像を読み取る第３搬送行程とを行うことで両面の画像読取を行う画像読取装置１００とする。【選択図】図１
2009027266.tif 000002
【特許請求の範囲】
【請求項１】
原稿を反転して搬送する反転経路を有するとともに、画像読取部を有する第１搬送経路と、
前記第１搬送経路を搬送した原稿をスイッチバック搬送して、前記反転経路の上流側に搬送する第２搬送経路と、
原稿のサイズ検知及び原稿の搬送位置検知機能を兼ね備えた検知部と、を具備し、
第１面を上に、第２面を下にして給紙した原稿を前記第１搬送経路に搬送するとともに、前記検知部が前記原稿のサイズを検知する第１搬送行程と、
前記第１搬送行程を経た原稿をスイッチバック搬送し、前記検知部が前記原稿の搬送位置を検知するとともに、前記画像読取部が前記原稿の第２面の画像を読み取る第２搬送行程と、
前記第２搬送行程を経た原稿をスイッチバック搬送し、前記検知部が前記原稿の搬送位置を検知するとともに、前記画像読取部が前記原稿の第１面の画像を読み取る第３搬送行程と、
を行うことにより原稿の両面の画像読み取りを行うことを特徴とする画像読取装置。
【請求項２】
サイズが特定されていない原稿を第１面を上に、第２面を下にして給紙することで前記原稿の画像を読み取る画像読取装置において、
前記原稿を反転して搬送する反転経路を有するとともに、画像読取部を有する第１搬送経路と、
前記第１搬送経路を搬送した原稿をスイッチバック搬送して、前記反転経路の上流側に搬送する第２搬送経路と、
原稿のサイズ検知及び原稿の搬送位置検知機能を兼ね備えた検知部と、を具備するとともに、
原稿の第１面と第２面の両面読み取りを行う両面読取モードと原稿の第１面のみの片面読み取りを行う片面読取モードとを有し、
前記両面読取モードは、
原稿を前記第１搬送経路に搬送するとともに、前記検知部が前記原稿のサイズを検知する第１搬送行程と、
前記第１搬送行程を経た原稿をスイッチバック搬送し、前記検知部が前記原稿の搬送位置を検知するとともに、前記画像読取部が前記原稿の第２面の画像を読み取る第２搬送行程と、
前記第２搬送行程を経た原稿をスイッチバック搬送し、前記検知部が前記原稿の搬送位置を検知するとともに、前記画像読取部が前記原稿の第１面の画像を読み取る第３搬送行程と、
により原稿の読み取りを行い、
前記片面読取モードは、
前記原稿を前記第１搬送経路に搬送するとともに、前記検知部が前記原稿のサイズを検知する第１搬送行程と、
前記第１搬送行程を経た原稿をスイッチバック搬送し、前記画像読取部で前記原稿の画像を読み取ることなく前記第１搬送経路を搬送して原稿を反転させる行程と、
前記反転させた原稿をスイッチバック搬送し、前記検知部が前記原稿の搬送位置を検知するとともに、前記画像読取部が前記原稿の第１面の画像を読み取る第３搬送行程と、
により原稿の読み取りを行うことを特徴とする画像読取装置。
【発明の詳細な説明】
【技術分野】
【０００１】
本発明は、原稿の表裏両面の読み取りが可能な画像読取装置の技術に関する。
【背景技術】
【０００２】
従来、原稿の表裏両面の読み取りを行う画像読取装置として、原稿を画像読取部へ給送して、原稿の表面の画像を読み取り、読み取った原稿を原稿排出部の方向へ搬送した後、原稿の後端部を挟持する排出ローラの回転方向を切り換えて原稿をスイッチバック搬送し、スイッチバック搬送させた原稿を反転させながら再度画像読取部へ給送し、原稿の裏面の画像を読み取る画像読取装置が知られている（特許文献１参照）。
【０００３】
また、従来の画像読取装置として、サイズが特定されていない原稿の画像を連続して読み取る場合、原稿のサイズを検知した後、画像読取部での読取開始・終了時を決定するために原稿の搬送位置を検知するようにした画像読取装置も知られている（特許文献２参照）。
【０００４】
図６は、従来の画像読取装置２００の側面図である。画像読取装置２００は、原稿Ｇの搬送経路として、給紙トレイ２０１から画像読取部２０３の画像読取位置２０４を経由して排出トレイ２０５まで連通する第１搬送経路２０６と、スイッチバック搬送の際に用いられる搬送経路であって、合流部Ｐ１から画像読取位置２０４を経由せずに分岐部Ｐ２まで連通する第２搬送経路２０７と、を有する。尚、第１搬送経路２０６は、合流部Ｐ１から画像読取位置２０４までの搬送経路を、原稿Ｇを反転する反転経路２０６ａとして包含している。
【０００５】
また、画像読取装置２００は、ピックアップローラ２０８とフィードローラ２０９との間に原稿のサイズを検知する原稿サイズ検知部２１０と、プレスローラ２１１と画像読取位置２０４との間に画像読取部での読取開始・終了時を決定するために原稿の搬送位置を検知する原稿搬送位置検知部２１２と、を有する。
【０００６】
画像読取装置２００において、サイズが特定されていない原稿の画像を連続して読み取る場合には、まず、原稿サイズ検知部２１０が、原稿Ｇのサイズを検知し、その検知結果に基づいて、画像の読取条件を決定する。そして、画像の読み取り開始前に、原稿搬送位置検知部２１２が、原稿Ｇの搬送位置を検知して、読み取り開始時を算出する。算出した読み取り開始時と予め決定した前記読取条件とに従って原稿Ｇの画像の読み取りを行う。
【０００７】
このように、画像読取装置２００では、サイズが特定されていない原稿の画像を読み取る場合、原稿サイズ検知部２１０が原稿のサイズを検知し、原稿搬送位置検知部２１２が原稿の搬送位置を検知することから、以下のような搬送行程で原稿Ｇの両面の読み取りを行う。
【０００８】
まず、第１搬送行程として、第１面を上に、第２面を下にした原稿Ｇを給紙トレイ２０１より給紙し、原稿Ｇのサイズを第１搬送経路２０６の原稿サイズ検知部２１０で検知する。そして、サイズを検知した原稿Ｇを反転経路２０６ａで反転しながら、原稿Ｇの搬送位置を原稿搬送位置検知部２１２で検知する。さらに、画像読取部２０３で原稿Ｇの第１面の画像を読み取り、原稿排出部２１３へ搬送する。
【０００９】
第２搬送行程として、原稿排出部２１３からスイッチバックした原稿Ｇを第２搬送経路２０７を介して、反転経路２０６ａで反転しながら、原稿Ｇの搬送位置を原稿搬送位置検知部２１２で検知する。そして、画像読取部２０３で原稿Ｇの第２面の画像を読み取り、再度原稿排出部２１３へ搬送する。
【００１０】
第３搬送行程として、原稿排出部２１３からスイッチバックした原稿Ｇを第２搬送経路２０７を介して、反転経路２０６ａで反転しながら、画像読取部２０３で画像を読み取ることなく、再度原稿排出部２１３へ搬送して排出トレイ２０５へ搬送し、原稿Ｇの両面読み取りを完了する。
【００１１】
上記従来の画像読取装置２００では、原稿サイズ検知部２１０と、原稿搬送位置検知部２１２とを個別に設け、原稿搬送位置検知部２１２が原稿の搬送位置を検知する前に、原稿サイズ検知部２１０が原稿のサイズを検知するため、上記第１から第３搬送行程で原稿Ｇの両面の画像を読み取っている。
【００１２】
しかしながら、原稿サイズ検知部２１０と、原稿搬送位置検知部２１２とを個別に設けた画像読取装置２００は、検知部を構成するセンサの個数が増加してコストが高くなるという問題がある。そこで、図７に示すように、原稿のサイズ検知機能を兼ね備えた原稿搬送位置検知部３１２を設けた画像読取装置３００が開発されている。
サイズが特定されていない原稿の両面の画像を画像読取装置３００で読み取る場合には、原稿の搬送位置を検知する前に、原稿のサイズを検知できないため、以下のような搬送行程を行う。
【００１３】
まず、第１搬送行程として、第１面を上に、第２面を下にした原稿Ｇを給紙トレイ３０１より給紙し、給紙した原稿Ｇを反転経路３０６ａで反転しながら、原稿Ｇのサイズを原稿搬送位置検知部３１２で検知する。そして、サイズを検知した原稿Ｇを画像読取部３０３で第１面の画像を読み取ることなく、原稿排出部３１３へ搬送する。
【００１４】
第２搬送行程として、原稿排出部３１３からスイッチバックした原稿Ｇを第２搬送経路３０７を介して、反転経路３０６ａで反転しながら、画像読取部３０３で原稿Ｇの第２面の画像を読み取ることなく、再度原稿排出部３１３へ搬送する。
【００１５】
第３搬送行程として、原稿排出部３１３からスイッチバックした原稿Ｇを第２搬送経路３０７を介して、反転経路３０６ａで反転しながら、原稿Ｇの搬送位置を原稿搬送位置検知部３１２で検知する。そして、画像読取部３０３で原稿Ｇの第１面の画像を読み取り、再度原稿排出部３１３へ搬送する。
【００１６】
第４搬送行程として、原稿排出部３１３からスイッチバックした原稿Ｇを第２搬送経路３０７を介して、反転経路３０６ａで反転しながら、原稿Ｇの搬送位置を原稿搬送位置検知部３１２で検知する。そして、画像読取部３０３で原稿Ｇの第２面の画像を読み取り、再度原稿排出部３１３へ搬送する。
【００１７】
第５搬送行程として、原稿排出部３１３からスイッチバックした原稿Ｇを第２搬送経路３０７を介して、反転経路３０６ａで反転しながら、画像読取部３０３で画像を読み取ることなく、再度原稿排出部３１３へ搬送して排出トレイ３０５へ搬送し、原稿Ｇの両面読み取りを完了する。
【特許文献１】特開２００５−１７８９９１号公報
【特許文献２】特開２００５−６５１２８号公報
【発明の開示】
【発明が解決しようとする課題】
【００１８】
以上のように、原稿搬送位置検知部が原稿のサイズ検知機能を兼ね備えている画像読取装置では、給紙トレイに載置した原稿のページを乱すことなく排出トレイへ原稿を排出するために、第２及び第５搬送行程で示したような、原稿の画像を画像読取部で読み取ることなく搬送する、いわゆる空搬送の搬送行程を行う必要がある。従って、従来の画像読取装置では、上記第１から第５搬送行程を行わなければならず、非常に生産性が悪いという問題点があった。
【００１９】
また、搬送行程が多くなると、原稿が搬送方向に対して斜行しながら搬送される割合が多くなり、画像読取部における原稿の読取開始位置が、原稿の搬送方向に対して横方向へ徐々にずれてくる。原稿の読取開始位置がずれると、実際の原稿の画像と読み取った原稿の画像にずれが生じるため、原稿の読み取り精度が低下する。従って、搬送行程が多くなるにつれ、画像の読み取り精度が低下するという問題点があった。さらに、搬送行程が多くなることで画像読取部の読み取り面も汚れるという問題点もあった。
【００２０】
本発明は、かかる問題を解決すべくなされたものであり、搬送行程の回数、及び検知手段であるセンサの数を削減しながら、サイズの異なる原稿を順次給送して表裏両面の画像を読み取ることができる画像読取装置を提供することを目的とする。
【課題を解決するための手段】
【００２１】
本発明の解決しようとする課題は以上の如くであり、次にこの課題を解決するための手段を説明する。
【００２２】
即ち、請求項１記載の画像読取装置は、原稿を反転して搬送する反転経路を有するとともに、画像読取部を有する第１搬送経路と、前記第１搬送経路を搬送した原稿をスイッチバック搬送して、前記反転経路の上流側に搬送する第２搬送経路と、原稿のサイズ検知及び原稿の搬送位置検知機能を兼ね備えた検知部と、を具備し、第１面を上に、第２面を下にして給紙した原稿を前記第１搬送経路に搬送するとともに、前記検知部が前記原稿のサイズを検知する第１搬送行程と、前記第１搬送行程を経た原稿をスイッチバック搬送し、前記検知部が前記原稿の搬送位置を検知するとともに、前記画像読取部が前記原稿の第２面の画像を読み取る第２搬送行程と、前記第２搬送行程を経た原稿をスイッチバック搬送し、前記検知部が前記原稿の搬送位置を検知するとともに、前記画像読取部が前記原稿の第１面の画像を読み取る第３搬送行程と、を行うことにより原稿の両面の画像読み取りを行う。
【００２３】
ここで、原稿の第１面とは、給紙トレイに載置した原稿を画像読取装置の上方から見たときに、視認できる面をいう。また、原稿の第２面とは、原稿給紙部に載置した原稿を画像読取装置の上方から見たときに、視認できない面、上記原稿の第１面の裏面をいう。
【００２４】
請求項２記載の画像読取装置は、サイズが特定されていない原稿を第１面を上に、第２面を下にして給紙することで前記原稿の画像を読み取る画像読取装置において、前記原稿を反転して搬送する反転経路を有するとともに、画像読取部を有する第１搬送経路と、前記第１搬送経路を搬送した原稿をスイッチバック搬送して、前記反転経路の上流側に搬送する第２搬送経路と、原稿のサイズ検知及び原稿の搬送位置検知機能を兼ね備えた検知部と、を具備するとともに、原稿の第１面と第２面の両面読み取りを行う両面読取モードと原稿の第１面のみの片面読み取りを行う片面読取モードとを有し、前記両面読取モードは、原稿を前記第１搬送経路に搬送するとともに、前記検知部が前記原稿のサイズを検知する第１搬送行程と、前記第１搬送行程を経た原稿をスイッチバック搬送し、前記検知部が前記原稿の搬送位置を検知するとともに、前記画像読取部が前記原稿の第２面の画像を読み取る第２搬送行程と、前記第２搬送行程を経た原稿をスイッチバック搬送し、前記検知部が前記原稿の搬送位置を検知するとともに、前記画像読取部が前記原稿の第１面の画像を読み取る第３搬送行程と、により原稿の読み取りを行い、前記片面読取モードは、前記原稿を前記第１搬送経路に搬送するとともに、前記検知部が前記原稿のサイズを検知する第１搬送行程と、前記第１搬送行程を経た原稿をスイッチバック搬送し、前記画像読取部で前記原稿の画像を読み取ることなく前記第１搬送経路を搬送して原稿を反転させる行程と、前記反転させた原稿をスイッチバック搬送し、前記検知部が前記原稿の搬送位置を検知するとともに、前記画像読取部が前記原稿の第１面の画像を読み取る第３搬送行程と、により原稿の読み取りを行う。
【発明の効果】
【００２５】
本発明の効果として、以下に示すような効果を奏する。
【００２６】
請求項１においては、原稿のサイズの検知を行う第１搬送行程に続いて、原稿の第２面の画像から読み取る搬送行程を行うことで、空搬送の搬送行程を削除することができるため、搬送行程が少なくなり生産性を向上することができる。また、搬送行程の数を減らすことで原稿のスイッチバック回数及び原稿の反転回数が減るため、原稿の斜行を防止でき、原稿の画像の読み取り精度を向上することができる。さらに、原稿搬送位置を検知する検知部が、原稿のサイズ検知機能を兼ね備えていることから、原稿のサイズと、搬送位置とを検知するために別々の検知部を設ける必要がなく、検知部を構成する検知手段（例えばセンサ）等の部品点数を減らすことができ、コストを抑えることができる。
【００２７】
請求項２においては、両面及び片面の両読み取りの場合も、サイズ検知及び画像読み取りを３行程で行うことができるため、サイズが特定されていない原稿であっても効率良く原稿の画像を読み取ることができる。
【発明を実施するための最良の形態】
【００２８】
以下、本発明の第１の実施形態に係る画像読取装置１００について図面に基づいて説明する。以下では、ローラの回転方向は、原稿Ｇを搬送経路の搬送方向下流側に搬送するような回転を正回転とし、原稿Ｇを搬送経路の搬送方向上流側に搬送するような回転を逆回転として説明する。また、上下方向は、画像読取装置を通常使用する姿勢における上下の方向として説明する。
【００２９】
図１に示すように、画像読取装置１００は、原稿Ｇの搬送に係る搬送経路４０、５０と、原稿Ｇを搬送経路に沿って搬送させるための各種ローラと、搬送経路を搬送される原稿Ｇの画像の読み取りを行う画像読取部１１と、読取前の原稿Ｇが載置される給紙トレイ２１と、読み取り後の原稿Ｇが載置される排出トレイ３１とを有する。
【００３０】
原稿Ｇの搬送経路は、図２に示すように、給紙トレイ２１から画像読取部１１を介して排出トレイ３１まで連通する第１搬送経路４０（点線の部分）と、分岐部Ｐ２から合流部Ｐ１まで連通する第２搬送経路５０（実線の部分）と、から構成される。合流部Ｐ１とは、第１搬送経路４０における画像読取部１１の搬送方向上流側であって、第１搬送経路４０と第２搬送経路５０とが合流する部分をいう。分岐部Ｐ２とは、第１搬送経路４０における画像読取部１１の搬送方向下流側であって、第１搬送経路４０と第２搬送経路５０とが分岐する部分をいう。
【００３１】
第１搬送経路４０は、原稿Ｇを反転する反転経路４０ａとして包含している。反転経路４０ａは、第１搬送経路４０の合流部Ｐ１から画像読取位置１２までの略Ｕ字状の搬送経路からなる。反転経路４０ａを搬送されることで、例えば、合流部Ｐ１に搬送時に第１面が上面であった原稿Ｇが、画像読取位置１２に搬送時には第１面が下面になる。
【００３２】
図１に示すように、第１搬送経路４０沿いには、ピックアップローラ４１、セパレートローラ４２及びリタードローラ４３、フィードローラ４４及びプレスローラ４５、が順に配置されている。また、第１搬送経路４０沿いには、プレスローラ５１・５２・５３が順に配置されると共に、プレスローラ５１・５２・５３のすべてに第１搬送経路４０を挟んで対向するフィードローラ５４が、配置されている。さらに、第１搬送経路４０の搬送方向下流側沿いには、排出ローラ７１ａ・７１ｂが配置されている。
【００３３】
次に、給紙トレイ２１から排出トレイ３１に至る原稿Ｇの搬送経路に沿って、画像読取装置１００の各構成を説明する。図１に示すように、給紙トレイ２１は、画像読取装置１００のケーシング２２の上部に設けられ、給紙トレイ２１の一部（下部）は、ケーシング２２に形成された原稿給紙口２３の内部に挿入されている。原稿Ｇの束は給紙トレイ２１の下端側に揃えるようにして載置される。
【００３４】
ピックアップローラ４１は、給紙トレイ２１に載置された原稿Ｇのうち、最上にある原稿Ｇを取り出すためのものであり、揺動アーム４６に軸支されている。また、載置された原稿Ｇの枚数に応じてピックアップローラ４１の高さ位置が変化するように、揺動アーム４６は、セパレートローラ４２の軸心周りに回動自在に設けられている。
【００３５】
セパレートローラ４２及びリタードローラ４３は、ピックアップローラ４１の搬送方向下流側で、原稿Ｇをニップできるように配置されている。セパレートローラ４２は、ピックアップローラ４１により繰り出された原稿Ｇを第１搬送経路４０の搬送方向下流側へ搬送する方向に正回転するが、リタードローラ４３は原稿Ｇを搬送する方向とは反対に逆回転する。そして、ピックアップローラ４１により複数枚の原稿Ｇが繰り出された場合であっても、セパレートローラ４２とリタードローラ４３とにより、最上にある１枚の原稿Ｇのみが第１搬送経路４０の搬送方向下流側へと送られる。尚、ピックアップローラ４１、セパレートローラ４２、及びリタードローラ４３は、図示せぬ駆動源により駆動されている。
【００３６】
フィードローラ４４及びプレスローラ４５は、セパレートローラ４２とリタードローラ４３の搬送方向下流側で、第１搬送経路４０に沿って対向するように配置されている。フィードローラ４４は、図示せぬ駆動源により駆動され、プレスローラ４５はフィードローラ４４に合わせて回転する従動ローラである。プレスローラ４５は、フィードローラ４４に接触して原稿Ｇをニップできるようにフィードローラ４４側に付勢されており、プレスローラ４５は、フィードローラ４４に従動して回転する。そして、フィードローラ４４とプレスローラ４５とで原稿をニップしながら、原稿Ｇを合流部Ｐ１の側へ搬送する。
【００３７】
プレスローラ５１・５２・５３及びフィードローラ５４は、第１搬送経路４０に沿って配置されている。フィードローラ５４はプレスローラ５１・５２・５３よりも大径であり、図示せぬ駆動源により駆動されている。プレスローラ５１・５２・５３は、従動ローラであり、記載した順に、フィードローラ５４に対向するように配置されている。プレスローラ５１・５２・５３は、フィードローラ５４に接触して原稿Ｇをニップできるように、フィードローラ５４側に付勢されており、フィードローラ５４に従動して回転する。そして、プレスローラ５１・５２・５３とフィードローラ５４とで原稿Ｇをニップして、原稿Ｇを第１搬送経路４０に沿って搬送する。この時、原稿Ｇを第１搬送経路４０に包含される反転経路４０ａに搬送するため、画像読取位置１２へ到達時には、原稿Ｇは反転している。
【００３８】
フィードローラ５４とプレスローラ５１は、レジストローラとしての機能をも有しており、第１搬送経路と第２搬送経路の合流部にある合流部Ｐ１の直下流側に配置されている。そして、原稿Ｇの画像を適切に読み取るために、第１搬送経路４０にある画像読取位置１２に原稿Ｇを送る前に、フィードローラ５４及びプレスローラ５３のニップ点Ｐ３に原稿Ｇの先端を突き当てて、原稿Ｇの斜行を補正する。
【００３９】
センサ６０は、原稿Ｇの通過を検知するセンサであり、画像読取部１１の搬送方向上流側、且つ合流部Ｐ１の搬送方向下流側に設置されている。センサ６０は図示せぬ制御部と接続されており、センサ６０が原稿Ｇを検知すると、センサ６０は検知信号を制御部へ送信する。制御部は、当該検知信号に基づいてタイマーによるカウントを開始する。そして、制御部は原稿Ｇの搬送速度とタイマーのカウント値から原稿Ｇの搬送位置を検知する。また一方で、制御部は原稿Ｇの搬送速度とタイマーのカウント値から原稿Ｇのサイズを検知する。画像読取装置１００において、センサ６０及び制御部は、原稿Ｇの搬送位置を検知する原稿搬送位置検知部であるとともに、原稿のサイズ検知機能を兼ね備えた検知部である。
【００４０】
画像読取部１１は、第１搬送経路４０上でプレスローラ５２・５３の間を通過する原稿Ｇの画像を、画像読取位置１２において読み取るものである。画像読取部１１は、画像読取位置１２へ光を照射する光源１３と、原稿Ｇからの反射光を所定の方向へ導くための反射ミラー１４・１４・１４と、反射光を収束する集光レンズ１５と、収束光を電気信号に変換して出力する電荷結合素子１６とを備えている。
【００４１】
分岐部Ｐ２にはガイド部材８１が設けられている。ガイド部材８１は、支持軸８２を中心に揺動自在に支持されており、自重で図示下側に下がっている。この状態では、ガイド部材８１は、第１搬送経路４０を塞いでいるが、画像読取位置１２から排出トレイ３１に向けて搬送される原稿Ｇの先端部がガイド部材８１に突き当たると、ガイド部材８１は軽いため、上方に持ち上げられ、原稿Ｇはガイド部材８１に妨げられることなく排出トレイ３１に向けて搬送される。一方、スイッチバック搬送の際には、原稿Ｇは、第１搬送経路４０を分岐部Ｐ２側（搬送方向上流側）へ搬送されるが、この時、ガイド部材８１は、自重で図示下側に下がっており、ガイド部材８１は分岐部Ｐ２を境に第１搬送経路４０と第２搬送経路５０とを連通させているので、原稿Ｇは、第２搬送経路５０へと案内される。
【００４２】
排出ローラ７１ａ・７１ｂは、第１搬送経路４０に沿いであって、分岐部Ｐ２の搬送方向下流側において、第１搬送経路４０を上下方向に挟むように設けられている。第１ローラ軸３３ａ及び第２ローラ軸３３ｂは、第１搬送経路４０を上下方向に挟むように平行に設けられており、第１ローラ軸３３ａには複数の排出ローラ７１ａが軸方向に等間隔に設けられ、第２ローラ軸３３ｂには複数の排出ローラ７１ｂが軸方向に等間隔に設けられている。
【００４３】
また、排出ローラ７１ａ・７１ｂは、図示せぬ駆動源により駆動され、回転方向は正逆切り換え自在に構成されている。従って、排出ローラ７１ａ・７１ｂは、原稿Ｇを排出トレイ３１へ排出する搬送ローラであると共に、回転方向を切り換えて、原稿Ｇを分岐部Ｐ２側（第２搬送経路５０）へスイッチバック搬送を行う搬送ローラでもある。
【００４４】
分岐部Ｐ２の搬送方向上流側には、原稿Ｇの通過を検知するセンサ５５が設けられており、センサ５５が原稿Ｇの前端を検知すると、センサ５５は検知信号を図示せぬ制御部へ送信する。制御部は当該検知信号に基づき、原稿Ｇの搬送パルス数により導き出される所定時間をカウントし、原稿Ｇの搬送方向を切り換える場合には、排出ローラ７１ａ・７１ｂの回転を一旦停止し、排出ローラ７１ａ・７１ｂの回転を逆回転に制御する。
【００４５】
排出トレイ３１は、複数枚の原稿Ｇを収容できるように、第１搬送経路４０の原稿排出口３２から下方に段差を設けて配置されている。原稿排出口３２は、画像読取装置１００のケーシング２２に形成された開口であり、第１搬送経路４０の終端部に位置する。
【００４６】
次に、本発明の実施形態に係る画像読取装置１００において、原稿Ｇの両面の画像を読み取る場合（両面読取モード）について説明する。図３乃至５は、画像読取装置１００における両面読取モードの際の搬送行程を時系列的に示した概略図である。尚、右側の原稿Ｇの図は、左側の装置概略図に対応しており、各搬送動作時に原稿Ｇを画像読取装置１００の上方から見た図である。無地の場合は、原稿Ｇの第１面が上面となる場合を示し、斜線塗りの場合は、原稿Ｇの第２面が上面となる場合を示す。
【００４７】
第１搬送行程について説明する。
図３（ａ）に示すように、給紙トレイ２１に載置された原稿Ｇのうち最上にある原稿Ｇが、ピックアップローラ４１によって取り出され、第１搬送経路４０へ給紙される。この時、原稿Ｇの第１面を上面にして給紙される。給紙された原稿Ｇは、フィードローラ４４、５４及びプレスローラ４５、５１、５２によって、第１搬送経路４０を搬送される。原稿Ｇの先端は、プレスローラ５１とフィードローラ５４とにより、ニップ点Ｐ３で一時停止させられ、原稿Ｇの斜行が補正された状態で、画像読取部１１へ向けて搬送される。
【００４８】
図３（ｂ）に示すように、原稿Ｇは、画像読取位置１２へ搬送される途中、反転経路４０ａを搬送されることにより反転される。また、原稿Ｇは反転経路４０ａを搬送されるとともに、センサ６０を通過する。この時、センサ６０が原稿Ｇの先端の通過を検知すると、検知信号を図示せぬ制御部へ送信し、検知信号を受けた制御部は、タイマーによるカウントを開始する。次に、センサ６０が原稿Ｇの後端の通過を検知すると、検知信号を制御部へ送信し、検知信号を受けた制御部は、タイマーによるカウントを終了する。そして、制御部は、カウント終了時のカウント値及び原稿の搬送速度に基づいて、原稿Ｇの原稿サイズを算出する。
【００４９】
センサ６０を通過した原稿Ｇは、反転経路４０ａを介して、画像読取部１１の画像読取位置１２まで搬送される。この時、原稿Ｇの第２面が上面となって搬送される。
画像読取位置１２まで搬送された原稿Ｇは、画像読取部１１により原稿Ｇの第１面の画像を読み取られることなく、そのまま画像読取位置１２を通過する。ここで、画像読取部１１で原稿Ｇの画像が読み取られるためには、原稿Ｇが画像読取位置１２に搬送されるまでに、原稿Ｇのサイズ及び搬送位置を、センサ６０及び制御部で検知しなければならない。しかし、センサ６０及び制御部は、原稿Ｇのサイズ及び搬送位置を同時に検知しないため、センサ６０及び制御部で原稿Ｇのサイズを検知した後は、画像読取部１１で原稿Ｇの画像を読み取ることなく、そのまま画像読取位置１２を通過させる。
【００５０】
図３（ｃ）に示すように、画像読取位置１２を通過した原稿Ｇは、第１搬送経路４０に配置されたプレスローラ５３、フィードローラ５４、排出ローラ７１ａ・７１ｂによって、原稿排出部３０へ搬送される。排出ローラ７１ａ・７１ｂは、搬送されてきた原稿Ｇを原稿排出口３２まで搬送するが、原稿Ｇの終端部が、排出ローラ７１ａ・７１ｂに達すると、排出ローラ７１ａ・７１ｂは、回転を一旦停止する。
【００５１】
次に、第２搬送行程について説明する。
回転を一旦停止した排出ローラ７１ａ・７１ｂは、回転を逆方向にすることで、原稿Ｇをスイッチバックし、分岐部Ｐ２側（第２搬送経路５０）へ搬送する。この時、排出ローラ７１ａ・７１ｂと連動するフィードローラ５４は回転を停止する。フィードローラ５４は、排出ローラ７１ａ・７１ｂが逆方向に回転すると、連動して回転を反転させるため、原稿Ｇが第２搬送経路５０を搬送される際に、原稿の搬送方向とフィードローラ５４の回転方向とが逆転方向となるからである。
【００５２】
図４（ａ）に示すように、スイッチバックされた原稿Ｇは、第１搬送経路４０と第２搬送経路５０との分岐部Ｐ２に設置されたガイド部材８１により、第２搬送経路５０へ案内される。この時、原稿Ｇの第２面が上面となって搬送される。
【００５３】
第２搬送経路５０を介して搬送された原稿Ｇの先端が、プレスローラ５１に達すると、排出ローラ７１ａ・７１ｂは一旦回転を停止する。そして、排出ローラ７１ａ・７１ｂが正方向に回転するとともに、フィードローラ５４が連動して正方向に回転することで、原稿Ｇが第１搬送経路４０を介して、画像読取位置１２へ搬送される。
【００５４】
図４（ｂ）に示すように、原稿Ｇは、画像読取位置１２へ搬送される途中、反転経路４０ａを搬送されることにより、反転される。また、原稿Ｇは反転経路４０ａを搬送されるとともに、センサ６０を通過する。この時、センサ６０が原稿Ｇの先端の通過を検知すると、検知信号を図示せぬ制御部へ送信し、検知信号を受けた制御部は、タイマーによるカウントを開始する。そして、制御部は、原稿Ｇの搬送速度とタイマーのカウント値から原稿Ｇの搬送位置を算出し、その算出結果、及び上記サイズ検知の結果に基づいて、画像読取部１１（光源１３）を制御する。
【００５５】
センサ６０を通過した原稿Ｇは、反転経路４０ａを介して、画像読取部１１の画像読取位置１２まで搬送される。この時、原稿Ｇの第１面が上面となって搬送され、下面である第２面の画像が画像読取部１１により読み取られる。
【００５６】
図４（ｃ）に示すように、第２面の画像が読み取られた原稿は、プレスローラ５３、フィードローラ５４、排出ローラ７１ａ・７１ｂによって、画像読取位置１２から原稿排出部３０へ搬送される。排出ローラ７１ａ・７１ｂは、搬送されてきた原稿Ｇを原稿排出口３２まで搬送するが、原稿Ｇの終端部が、排出ローラ７１ａ・７１ｂに達すると、排出ローラ７１ａ・７１ｂは、回転を一旦停止する。
【００５７】
次に、第３搬送行程について説明する。
回転を一旦停止した排出ローラ７１ａ・７１ｂは、回転を逆方向にすることで、原稿Ｇを再度スイッチバックし、第２搬送経路５０へ搬送する。
図５（ａ）に示すように、再度スイッチバックされた原稿Ｇは、第１搬送経路４０と第２搬送経路５０との分岐部Ｐ２に設置されたガイド部材８１により、第２搬送経路５０へ案内される。この時、原稿Ｇの第１面が上面となって搬送される。
【００５８】
第２搬送経路５０を介して搬送された原稿Ｇの先端が、プレスローラ５１に達すると、排出ローラ７１ａ・７１ｂは一旦回転を停止する。そして、排出ローラ７１ａ・７１ｂが正方向に回転するとともに、フィードローラ５４が連動して正方向に回転することで、原稿Ｇが第１搬送経路４０を介して、画像読取位置１２へ搬送される。
【００５９】
図５（ｂ）に示すように、原稿Ｇは、画像読取位置１２へ搬送される途中、反転経路４０ａを搬送されることにより、反転される。また、原稿Ｇは反転経路４０ａを搬送されるとともに、センサ６０を通過する。この時、センサ６０が原稿Ｇの先端の通過を検知すると、検知信号を図示せぬ制御部へ送信し、検知信号を受けた制御部は、タイマーによるカウントを開始する。そして、制御部は、原稿Ｇの搬送速度とタイマーのカウント値から原稿Ｇの搬送位置を検知し、その検知結果、及び上記サイズ検知の結果に基づいて、画像読取部１１（光源１３）を制御する。
【００６０】
センサ６０を通過した原稿Ｇは、反転経路４０ａを介して、画像読取部１１の画像読取位置１２まで搬送される。この時点で原稿Ｇの第２面が上面となって搬送されており、下面である第１面の画像が画像読取部１１により読み取られる。
【００６１】
図５（ｃ）に示すように、第１面の画像が読み取られた原稿Ｇは、プレスローラ５３、フィードローラ５４によって、画像読取位置１２から原稿排出部３０へ搬送される。そして、原稿Ｇは、排出ローラ７１ａ・７１ｂにより、原稿排出口３２から排出トレイ３１へ排出される。この時、原稿Ｇの第２面が上面となって排出トレイ３１へ排出される。
【００６２】
このように、上記第２搬送行程において、原稿Ｇの画像を第２面から読み取ることから、従来原稿Ｇの排出トレイへの排出順番を調整するために行っていた、空搬送の搬送行程を削除できる。また、センサ６０及び図示せぬ制御部が原稿Ｇの搬送位置を検知するだけでなく、原稿Ｇのサイズを検知する機能を兼ね備えていることから、原稿のサイズを検知するため、検知部を構成する検知手段（例えばセンサ）を別途設置する必要がなくなり、部品点数とコストを削減することができる。
【００６３】
さらに、上記第１から第３搬送行程を行うことで、給紙トレイ２１で上面であった原稿Ｇの第１面が、排出トレイでは下面で排出されることから、給紙トレイ２１に載置した原稿Ｇのページを乱すことなく、原稿の取り扱いを良好に行うことができる。
【００６４】
次に、原稿Ｇの両面の画像を読み取る場合の両面読取モードと、原稿Ｇの片面の画像を読み取る場合の片面読取モードと、を有する画像読取装置１５０について説明する。画像読取装置１５０は両面読取モードと、片面読取モードとの２つのモードを有する。両面読取モード及び片面読取モードはユーザの操作により切換が可能である。
【００６５】
両面読取モードは、上述した画像読取装置１００の両面読取モードと同様であるため説明を省略し、片面読取モードについて説明する。片面読取モードは、両面読取モードと原稿Ｇの搬送順序と同一なため、図３乃至５に基づいて説明する。
【００６６】
片面読取モードの際の第１搬送行程は、両面読取モードの際の第１搬送行程と同一なため説明を省略し、第２搬送行程から説明する。
【００６７】
図３（ｃ）に示すように、画像読取位置１２を通過した原稿Ｇは、第１搬送経路４０に配置されたプレスローラ５３、フィードローラ５４、排出ローラ７１ａ・７１ｂによって、原稿排出部３０へ搬送される。排出ローラ７１ａ・７１ｂは、搬送されてきた原稿Ｇを原稿排出口３２まで搬送するが、原稿Ｇの終端部が、排出ローラ７１ａ・７１ｂに達すると、排出ローラ７１ａ・７１ｂは、回転を一旦停止する。
【００６８】
回転を一旦停止した排出ローラ７１ａ・７１ｂは、回転を逆方向にすることで、原稿Ｇをスイッチバックし、分岐部Ｐ２側（第２搬送経路５０）へ搬送する。
【００６９】
図４（ａ）に示すように、スイッチバックされた原稿Ｇは、第１搬送経路４０と第２搬送経路５０との分岐部Ｐ２に設置されたガイド部材８１により、第２搬送経路５０へ案内される。この時、原稿Ｇの第２面が上面となって搬送される。
【００７０】
第２搬送経路５０を介して搬送された原稿Ｇの先端が、プレスローラ５１に達すると、排出ローラ７１ａ・７１ｂは一旦回転を停止する。そして、排出ローラ７１ａ・７１ｂが正方向に回転するとともに、フィードローラ５４が連動して正方向に回転することで、原稿Ｇが第１搬送経路４０を介して、画像読取位置１２へ搬送される。
【００７１】
図４（ｂ）に示すように、原稿Ｇは、画像読取位置１２へ搬送される途中、反転経路４０ａを搬送されることにより、反転される。また、原稿Ｇは反転経路４０ａを搬送されるとともに、センサ６０を通過する。この時、センサ６０が原稿Ｇの先端の通過を検知するが、両面読取モードの場合と異なり、検知信号を図示せぬ制御部へ送信しない。
【００７２】
センサ６０を通過した原稿Ｇは、反転経路４０ａを介して、画像読取部１１の画像読取位置１２まで搬送される。この時、原稿Ｇの第１面が上面となって搬送されるが、
下面である第２面の画像が画像読取部１１により読み取られることなく、画像読取位置１２を通過する。
【００７３】
図４（ｃ）に示すように、画像読取位置１２を通過した原稿は、プレスローラ５３、フィードローラ５４、排出ローラ７１ａ・７１ｂによって、画像読取位置１２から原稿排出部３０へ搬送される。排出ローラ７１ａ・７１ｂは、搬送されてきた原稿Ｇを原稿排出口３２まで搬送するが、原稿Ｇの終端部が、排出ローラ７１ａ・７１ｂに達すると、排出ローラ７１ａ・７１ｂは、回転を一旦停止する。
【００７４】
次に、第３搬送行程について説明する。
回転を一旦停止した排出ローラ７１ａ・７１ｂは、回転を逆方向にすることで、原稿Ｇを再度スイッチバックし、第２搬送経路５０へ搬送する。
図５（ａ）に示すように、再度スイッチバックされた原稿Ｇは、第１搬送経路４０と第２搬送経路５０との分岐部Ｐ２に設置されたガイド部材８１により、第２搬送経路５０へ案内される。この時、原稿Ｇの第１面が上面となって搬送される。
【００７５】
第２搬送経路５０を介して搬送された原稿Ｇの先端が、プレスローラ５１に達すると、排出ローラ７１ａ・７１ｂは一旦回転を停止する。そして、排出ローラ７１ａ・７１ｂが正方向に回転するとともに、フィードローラ５４が連動して正方向に回転することで、原稿Ｇが第１搬送経路４０を介して、画像読取位置１２へ搬送される。
【００７６】
図５（ｂ）に示すように、原稿Ｇは、画像読取位置１２へ搬送される途中、反転経路４０ａを搬送されることにより、反転される。また、原稿Ｇは反転経路４０ａを搬送されるとともに、センサ６０を通過する。この時、センサ６０が原稿Ｇの先端の通過を検知すると、検知信号を図示せぬ制御部へ送信し、検知信号を受けた制御部は、タイマーによるカウントを開始する。そして、制御部は、原稿Ｇの搬送速度とタイマーのカウント値から原稿Ｇの搬送位置を検知し、その検知結果、及び上記サイズ検知の結果に基づいて、画像読取部１１（光源１３）を制御する。
【００７７】
センサ６０を通過した原稿Ｇは、反転経路４０ａを介して、画像読取部１１の画像読取位置１２まで搬送される。この時点で原稿Ｇの第２面が上面となって搬送されており、下面である第１面の画像が画像読取部１１により読み取られる。
【００７８】
図５（ｃ）に示すように、第１面の画像が読み取られた原稿Ｇは、プレスローラ５３、フィードローラ５４によって、画像読取位置１２から原稿排出部３０へ搬送される。そして、原稿Ｇは、排出ローラ７１ａ・７１ｂにより、原稿排出口３２から排出トレイ３１へ排出される。この時、原稿Ｇの第２面が上面となって排出トレイ３１へ排出される。
【００７９】
このように、両面読取モード及びは片面読取モードは、ともにサイズ検知及び画像読み取りを３行程で行うことから、サイズが特定されていない原稿の画像を連続して読み取る場合には、少ない搬送行程で効率良く原稿Ｇの画像を読み取ることができる。また両面読取モードと原稿Ｇの搬送順序と、片面読取モードの原稿Ｇの搬送順序とは同一であることから、読取モードに応じて原稿Ｇの搬送制御を変更する必要がなく、搬送制御が容易にできる。さらにまた、片面読取モードは両面読取モードと同様に３行程を行うが、サイズが特定されていない原稿の画像を読み取る場合には、ユーザが原稿Ｇのサイズを事前に画像読取装置１００へ入力することで、１行程で原稿Ｇの画像の読み取りを行うことができる。
【図面の簡単な説明】
【００８０】
【図１】本発明の実施形態に係る画像読取装置１００の内部構造を示す正面図。
【図２】画像読取装置１００における原稿Ｇの搬送経路を示す概略図。
【図３】画像読取装置１００における両面読取モードの際の搬送行程を時系列的に示した概略図。
【図４】画像読取装置１００における両面読取モードの際の搬送行程を時系列的に示した概略図。
【図５】画像読取装置１００における両面読取モードの際の搬送行程を時系列的に示した概略図。
【図６】従来の画像読取装置２００の内部構造を示す正面図。
【図７】従来の画像読取装置３００の内部構造を示す正面図。
【符号の説明】
【００８１】
１１              画像読取部
２１              給紙トレイ
３１              排出トレイ
４０              第１搬送経路
４０ａ            反転経路
５０              第２搬送経路
６０              センサ（検知部）
７１ａ、７１ｂ    排出ローラ
１００            画像読取装置
Ｇ                原稿
Ｐ１              合流部
Ｐ２              分岐部
【図１】
2009027266.tif 000003
【図２】
2009027266.tif 000004
【図３】
2009027266.tif 000005
【図４】
2009027266.tif 000006
【図５】
2009027266.tif 000007
【図６】
2009027266.tif 000008
【図７】
2009027266.tif 000009